【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
複数のコンピュータがネットワークを介して接続され、これらのコンピュータのうち１台のコンピュータのディスプレイに表示された内容と同じ内容をすべてのコンピュータに同期して表示する電子会議システムにおける画面表示制御方法であって、
少なくとも各会議参加者のコンピュータの内の２つのコンピュータのディスプレイのアスペクト比が違う場合に、
各会議参加者のコンピュータの内の１台のコンピュータのディスプレイに表示された内容と同じ内容をすべてのコンピュータに同期して表示する共有画面のアスペクト比を同じにして表示することを特徴とする電子会議システムにおける画面表示制御方法。
【請求項２】
複数のコンピュータがネットワークを介して接続され、これらのコンピュータのうち１台のコンピュータのディスプレイに表示された内容と同じ内容をすべてのコンピュータに同期して表示する電子会議システムであって、
各会議参加者のコンピュータは、
会議に参加する際に電子会議サーバーに自コンピュータのディスプレイのアスペクト比を通知する手段と、
各会議参加者のコンピュータが、受信した共有画面のアスペクト比により、共有画面をディスプレイ上に表示する手段と、
を有し、
電子会議サーバーは、
電子会議サーバーに集まった各会議参加者のコンピュータのディスプレイのアスペクト比と、テーブルと、に基づいて共有画面のアスペクト比を決定する手段と、
電子会議サーバーが、決定した共有画面のアスペクト比を各会議参加者のコンピュータに通知する手段と、
を有することを特徴とする電子会議システム。
【請求項３】
会議参加者のコンピュータのうちの一台が電子会議サーバーとして機能する手段をさらに有することを特徴とする請求項２に記載の電子会議システム。
【請求項４】
複数のコンピュータがネットワークを介して接続され、これらのコンピュータのうち１台のコンピュータのディスプレイに表示された内容と同じ内容をすべてのコンピュータに同期して表示する電子会議システムにおける画面表示制御方法であって、
各会議参加者のコンピュータが、会議に参加する際に電子会議サーバーに自コンピュータのディスプレイのアスペクト比を通知する工程と、
電子会議サーバーが、電子会議サーバーに集まった各会議参加者のコンピュータのディスプレイのアスペクト比と、テーブルと、に基づいて共有画面のアスペクト比を決定する工程と、
電子会議サーバーが、決定した共有画面のアスペクト比を各会議参加者のコンピュータに通知する工程と、
各会議参加者のコンピュータが、受信した共有画面のアスペクト比により、共有画面をディスプレイ上に表示する工程と、
を含むことを特徴とする画面表示制御方法。
【請求項５】
会議参加者のコンピュータのうちの一台が、電子会議サーバーとして機能する工程をさらに含むことを特徴とする請求項４に記載の画面表示制御方法。
【請求項６】
複数のコンピュータがネットワークを介して接続され、これらのコンピュータのうち１台のコンピュータのディスプレイに表示された内容と同じ内容をすべてのコンピュータに同期して表示する電子会議システムにおける各会議参加者のコンピュータを、
会議に参加する際に電子会議サーバーに自コンピュータのディスプレイのアスペクト比を通知する手段と、
電子会議サーバーより受信した共有画面のアスペクト比により、共有画面をディスプレイ上に表示する手段と、
して機能させることを特徴とする画面表示制御プログラム。
【請求項７】
複数のコンピュータがネットワークを介して接続され、これらのコンピュータのうち１台のコンピュータのディスプレイに表示された内容と同じ内容をすべてのコンピュータに同期して表示する電子会議システムにおける電子会議サーバーを、
電子会議サーバーに集まった各会議参加者のコンピュータのディスプレイのアスペクト比と、テーブルと、に基づいて共有画面のアスペクト比を決定する手段と、
決定した共有画面のアスペクト比を各会議参加者のコンピュータに通知する手段と、
して機能させることを特徴とする画面表示制御プログラム。
【請求項８】
請求項６又は７に記載の画面表示制御プログラムを記憶したコンピュータにより読み取り可能な記憶媒体。
【手続補正２】
【補正対象書類名】明細書
【補正対象項目名】０００５
【補正方法】変更
【補正の内容】
【０００５】
この問題を解決するために、電子会議システムの共有画面のアスペクト比を固定にすることも考えられるが、固定化されたアスペクト比が会議参加者のコンピュータのディスプレイのアスペクト比において表示しづらい場合や、共有画面の表示領域が小さくなってしまう問題があった。
【手続補正３】
【補正対象書類名】明細書
【補正対象項目名】０００７
【補正方法】変更
【補正の内容】
【０００７】
そこで、上記問題を解決するため、本発明は、複数のコンピュータがネットワークを介して接続され、これらのコンピュータのうち１台のコンピュータのディスプレイに表示された内容と同じ内容をすべてのコンピュータに同期して表示する電子会議システムにおける画面表示制御方法であって、少なくとも各会議参加者のコンピュータの内の２つのコンピュータのディスプレイのアスペクト比が違う場合に、各会議参加者のコンピュータの内の１台のコンピュータのディスプレイに表示された内容と同じ内容をすべてのコンピュータに同期して表示する共有画面のアスペクト比を同じにして表示することを特徴とする電子会議システムにおける画面表示制御方法等、を提供する。
【手続補正４】
【補正対象書類名】明細書
【補正対象項目名】０００８
【補正方法】変更
【補正の内容】
【０００８】
本発明によれば、複数のコンピュータがネットワークを介して接続され、これらのコンピュータのうち１台のコンピュータのディスプレイに表示された内容と同じ内容をすべてのコンピュータに同期して表示する電子会議システムにおける画面表示制御方法であって、少なくとも各会議参加者のコンピュータの内の２つのコンピュータのディスプレイのアスペクト比が違う場合に、各会議参加者のコンピュータの内の１台のコンピュータのディスプレイに表示された内容と同じ内容をすべてのコンピュータに同期して表示する共有画面のアスペクト比を同じにして表示することにより、会議資料が表示されている共有画面領域を会議参加者のコンピュータのディスプレイのアスペクト比に寄らず、ディスプレイ上で効率よく、可能な限り大きく表示することができる。
【手続補正５】
【補正対象書類名】明細書
【補正対象項目名】００１６
【補正方法】変更
【補正の内容】
【００１６】
電子会議サーバーは、すべての電子会議クライアントのアスペクト比を、テーブルを参照して比較し、共有画面のアスペクト比を決定し、各電子会議クライアントに通知する（ステップＳ１８）。
【手続補正６】
【補正対象書類名】明細書
【補正対象項目名】００２５
【補正方法】変更
【補正の内容】
【００２５】
図１０はすべての参加者のコンピュータのディスプレイのアスペクト比から共有画面のアスペクト比を決定するためのテーブルである。
【手続補正７】
【補正対象書類名】明細書
【補正対象項目名】００３０
【補正方法】変更
【補正の内容】
【００３０】
このように、電子会議クライアントのディスプレイのアスペクト比の組み合わせに応じて共有画面のアスペクト比を決定し、各電子会議クライアントのディスプレイ上に効率よく共有画面を配置することができる。
【手続補正８】
【補正対象書類名】明細書
【補正対象項目名】００３３
【補正方法】変更
【補正の内容】
【００３３】
図１４はすべての参加者のコンピュータのディスプレイのアスペクト比から共有画面のアスペクト比を決定するためのテーブルである。
【手続補正９】
【補正対象書類名】明細書
【補正対象項目名】００４１
【補正方法】変更
【補正の内容】
【００４１】
このように、電子会議クライアントのディスプレイが横長のアスペクト比のときにアプリケーションメニュー領域を左右振り分けとする場合であっても、電子会議クライアントのディスプレイのアスペクト比の組み合わせに応じて適切な共有画面のアスペクト比を決定し、各電子会議クライアントのディスプレイ上に効率よく共有画面を配置することができる。
【手続補正１０】
【補正対象書類名】明細書
【補正対象項目名】００４９
【補正方法】変更
【補正の内容】
【００４９】
また、本発明によれば、各参加者のコンピュータのディスプレイのアスペクト比が会議中固定化されることで、参加者によって縦長に表示されたり、横長に表示されたりするといったことが無くなり、例えば、自由描画によるアノテーションをオブジェクトとして管理することなどにより各ディスプレイ上に同じように表示されるようになる。このことにより、各参加者は同じものを見ながら会議を行なうことが出来る。
【手続補正１１】
【補正対象書類名】明細書
【補正対象項目名】００５３
【補正方法】変更
【補正の内容】
【００５３】
【図１】図１は、本発明の実施の形態に係る電子会議システムの構成を模式的に示す図である。
【図２】図２は、本発明の実施の形態に係る電子会議システムにおける、電子会議クライアントが会議に参加する際の処理を示すシーケンス図である。
【図３】図３は、参加者のコンピュータのディスプレイのアスペクト比が１６：９の場合の共有画面のアスペクト比の違いによる共有画面の表示領域の違いを表す図である。
【図４】図４は、参加者のコンピュータのディスプレイのアスペクト比が１６：１０の場合の共有画面のアスペクト比の違いによる共有画面の表示領域の違いを表す図である。
【図５】図５は、参加者のコンピュータのディスプレイのアスペクト比が横４：３の場合の共有画面のアスペクト比の違いによる共有画面の表示領域の違いを表す図である。
【図６】図６は、参加者のコンピュータのディスプレイのアスペクト比が横４：３の場合で共有画面のアスペクト比が４：３のときのアプリケーションメニュー領域を用意した共有画面の表示領域を表す図である。
【図７】図７は、参加者のコンピュータのディスプレイのアスペクト比が５：４の場合の共有画面のアスペクト比の違いによる共有画面の表示領域の違いを表す図である。
【図８】図８は、参加者のコンピュータのディスプレイのアスペクト比が５：４の場合で共有画面のアスペクト比が４：３のときのアプリケーションメニュー領域を用意した共有画面の表示領域を表す図である。
【図９】図９は、参加者のコンピュータのディスプレイのアスペクト比が縦４：３の場合の共有画面のアスペクト比の違いによる共有画面の表示領域の違いを表す図である。
【図１０】図１０は、すべての参加者のコンピュータのディスプレイのアスペクト比から共有画面のアスペクト比を決定するためのテーブルを示す図である。
【図１１】図１１は、共有画面のアスペクト比が３：２と決定した場合の各ディスプレイ上の共有画面の表示領域を表す図である。
【図１２】図１２は、共有画面のアスペクト比が４：３と決定した場合の各ディスプレイ上の共有画面の表示領域を表す図である。
【図１３】図１３は、共有画面のアスペクト比が１：１と決定した場合の各ディスプレイ上の共有画面の表示領域を表す図である。
【図１４】図１４は、横長のアスペクト比のディスプレイでアプリケーションメニューを左右に振り分けた場合の、すべての参加者のコンピュータのディスプレイのアスペクト比から共有画面のアスペクト比を決定するためのテーブルを示す図である。
【図１５】図１５は、参加者のコンピュータのディスプレイのアスペクト比が１６：９でアプリケーションメニューを左右に振り分けた場合の共有画面のアスペクト比の違いによる共有画面の表示領域の違いを表す図である。
【図１６】図１６は、参加者のコンピュータのディスプレイのアスペクト比が１６：１０でアプリケーションメニューを左右に振り分けた場合の共有画面のアスペクト比の違いによる共有画面の表示領域の違いを表す図である。
【図１７】図１７は、横長のアスペクト比のディスプレイでアプリケーションメニューを左右に振り分けた場合の、共有画面のアスペクト比が３：２と決定した場合の各ディスプレイ上の共有画面の表示領域を表す図である。
【図１８】図１８は、横長のアスペクト比のディスプレイでアプリケーションメニューを左右に振り分けた場合の、共有画面のアスペクト比が４：３と決定した場合の各ディスプレイ上の共有画面の表示領域を表す図である。
【図１９】図１９は、横長のアスペクト比のディスプレイでアプリケーションメニューを左右に振り分けた場合の、共有画面のアスペクト比が２：１と決定した場合の各ディスプレイ上の共有画面の表示領域を表す図である。
【図２０】図２０は、横長のアスペクト比のディスプレイでアプリケーションメニューを左右に振り分けた場合の、共有画面のアスペクト比が１：１と決定した場合の各ディスプレイ上の共有画面の表示領域を表す図である。